(57)【要約】      （修正有）【課題】音声レベル調整機能を有する通信装置において、通信エラーが生じているデータ部分の音声品質を良化する。【解決手段】信号を受信する受信部１０と、受信した信号から音声信号を復号する音声復号部１２と、復号した音声信号の音声レベルを第１の調整モードと第２の調整モードのいずれかの調整モードにより調整する音声レベル調整部１４と、受信した信号の受信状態を判定する伝送状態判定部１５と、を備え、音声レベル調整部１４は、伝送状態判定部１５が判定した信号の受信状態に基づいて、調整モードを切り替える。このような構成により、受信状態が通信エラーと判定された場合においても、最適な音声レベル調整を行うことができるようになり、通信エラーが生じているデータ部分の音声品質が良化する。【選択図】図１
2013074358.tif 000002
【特許請求の範囲】
【請求項１】
信号を受信する受信部と、
前記受信部が受信した前記信号から音声信号を復号する音声復号部と、
前記復号した音声信号の音声レベルを第１の調整モードと第２の調整モードのいずれかの調整モードにより調整する音声レベル調整部と、
前記受信した信号の受信状態を判定する伝送状態判定部と、を備え、
前記音声レベル調整部は、前記伝送状態判定部が判定した前記信号の受信状態に基づいて、前記調整モードを切り替えることを特徴とする通信装置。
【請求項２】
前記伝送状態判定部が前記信号の受信状態をエラー状態であると判定した場合に、前記調整モードを前記第２の調整モードとし、
それ以外の場合に、前記調整モードを前記第１の調整モードとすることを特徴とする請求項１に記載の通信装置。
【請求項３】
前記伝送状態判定部が前記信号の受信状態を連続して所定回数以上、エラー状態であると判定した場合に、前記調整モードを前記第２の調整モードとし、
それ以外の場合に、前記調整モードを前記第１の調整モードとすることを特徴とする請求項１に記載の通信装置。
【請求項４】
前記第２の調整モードは、前記音声レベル調整部による前記音声レベルの調整を停止することを特徴とする請求項１乃至３のいずれか１項に記載の通信装置。
【請求項５】
前記第２の調整モードの応答速度を、前記第１の調整モードの応答速度よりも遅くすることを特徴とする請求項１乃至３のいずれか１項に記載の通信装置。
【請求項６】
前記信号の受信状態がエラー状態である場合に、前記信号を補正するエラー隠蔽処理部を更に備えたことを特徴とする請求項１乃至５のいずれか１項に記載の通信装置。
【請求項７】
前記エラー隠蔽処理部による補正に応じて前記信号の音声レベルを抑制するミュート部と、前記音声レベル調整部の前記調整モードを切り替える制御を行う音声レベル調整制御部と、を更に備え、
前記音声レベル調整制御部は、前記伝送状態判定部が判定した前記信号の受信状態、及び前記ミュート部による抑制動作に応じて、前記調整モードを切り替えることを特徴とする請求項６に記載の通信装置。
【請求項８】
音声情報を含む信号を受信し、前記信号を復号して音声信号に変換した後、前記音声信号の音声レベルの調整を行う音声処理方法であって、
前記受信した信号の受信状態を判定する受信状態判定ステップと、
前記受信状態判定ステップで判定した受信状態がエラー状態である場合に、前記音声レベルの調整を停止するステップと、
を含むことを特徴とする音声処理方法。
【請求項９】
音声情報を含む信号を受信し、前記信号を復号して音声信号に変換した後、前記音声信号の音声レベルの調整を行う音声処理方法であって、
前記受信した信号の受信状態を判定する受信状態判定ステップと、
前記受信状態判定ステップで判定した受信状態がエラー状態である場合に、前記音声レベルの調整の応答速度を遅くするステップと、
を含むことを特徴とする音声処理方法。
【請求項１０】
受信した信号の受信状態を判定する処理と、
前記信号を復号した音声信号に対して、第１の調整モードと第２の調整モードのいずれかの調整モードで音声レベルの調整を行う処理と、
前記受信状態に基づいて、前記調整モードを切り替える処理と、
をコンピュータに実行させることを特徴とするプログラム。
【発明の詳細な説明】
【技術分野】
【０００１】
本発明は、通信装置、音声処理方法及びプログラムに関する。特に、本発明は、音声レベルを調整する機能を有する通信装置、音声レベルを調整する音声処理方法、及びそのプログラムに関する。
【背景技術】
【０００２】
音声信号を受信して再生する通信装置において、例えば、携帯電話では、無線通信における電波環境の劣化による伝送エラーで再生音声が劣化し、ＩＰ（Ｉｎｔｅｒｎｅｔ  Ｐｒｏｔｏｃｏｌ）電話では、インターネット経由で伝送する過程で生じるパケットロスで再生音声が劣化するという問題がある。近年、これらの問題を解消するため、伝送時の通信エラーを検出し、通信エラーが発生した部分の音声信号をエラー隠蔽処理により補正することが提案されている。また、通信エラーを検出した場合に、音声ミュートをかけることにより受信音声を聞き易い状態にすることも提案されている。
【０００３】
特許文献１には、通信エラー状態に応じて適正な音声ミュートレベル制御を行う通信端末機が開示されている。図１０は、特許文献１に記載された通信端末機の制御動作を説明するための図である。図１０に示すように、この通信端末機は、通信エラー状態に応じて、連続エラー時ミュートレベル制御、複数レベルの間欠エラー時ミュートレベル制御（ミュートレベル制御１〜４）を切り替え制御している。このように、通信エラー状態に応じて、受話音声のミュートレベルを可変的に制御することにより、受話音声の改善を実現している。
【先行技術文献】
【特許文献】
【０００４】
【特許文献１】特開２０００−５９２４３号公報
【非特許文献】
【０００５】
【非特許文献１】「みんなに使いやすいケータイ「らくらくホン」シリーズ」、ＮＴＴドコモレポート  Ｎｏ．５９、２００７．９．１４、［平成２３年９月１９日検索］、インターネットＵＲＬ  http://www.nttdocomo.co.jp/binary/pdf/info/news_release/report/070914.pdf
【発明の概要】
【発明が解決しようとする課題】
【０００６】
以下の分析は、本発明により与えられる。
【０００７】
また、近年、非特許文献１に記載された「らくらくホン」に代表されるように、ご年配の方や騒音化でも受話音声が聞き易くなるように音声復号化処理の後に音声レベル調整機能を具備した携帯電話が商品化されている。非特許文献１に記載された「音声受話量アップ」機能は、相手が話す声が小さいときには相手の音声の音量レベルを感知して、自動的に受話音量を大きくするものである。
【０００８】
しかしながら、非特許文献１に記載された音声レベル調整機能を有する携帯電話で、特許文献１に記載された音声ミュートレベル制御を行う場合に、以下のような弊害が生じる。それは、無線通信の電波環境の劣化で通信エラーが発生した場合に、エラー隠蔽処理後にミュートレベル制御で段階的にミュート処理を行うが、ミュート処理で抑制された音声が音声レベル調整機能により自動的に増幅されてしまう。このとき、再生音声にレベル変動の違和感が生じたり、エラー復帰直後の音声レベルが過負荷となり音割れ等の異音が発生したりすることがある。
【０００９】
一般に、エラー隠蔽処理は、音声レベル変動がある場合の音声品質に関して考慮されておらず、そのため、エラー隠蔽処理された音声に対して、上記したミュート処理による抑制と音声レベル調整機能による増幅が同時に行われると、再生した音声に、レベル変動の違和感や音割れ等の異音が発生し、音声品質が劣化する弊害が生じる。
【００１０】
そこで本発明の目的は、音声レベル調整機能を有する通信装置において、通信エラーが生じているデータ部分の音声品質を良化する通信装置を提供することである。
【課題を解決するための手段】
【００１１】
本発明の第１の視点による通信装置は、信号を受信する受信部と、前記受信部が受信した前記信号から音声信号を復号する音声復号部と、前記復号した音声信号の音声レベルを第１の調整モードと第２の調整モードのいずれかの調整モードにより調整する音声レベル調整部と、前記受信した信号の受信状態を判定する伝送状態判定部と、を備え、前記音声レベル調整部は、前記伝送状態判定部が判定した前記信号の受信状態に基づいて、前記調整モードを切り替える。
【００１２】
本発明の第２の視点による音声処理方法は、音声情報を含む信号を受信し、前記信号を復号して音声信号に変換した後、前記音声信号の音声レベルの調整を行う音声処理方法であって、前記受信した信号の受信状態を判定する受信状態判定ステップと、前記受信状態判定ステップで判定した受信状態がエラー状態である場合に、前記音声レベルの調整を停止するステップと、を含む。
【００１３】
本発明の第３の視点による音声処理方法は、音声情報を含む信号を受信し、前記信号を復号して音声信号に変換した後、前記音声信号の音声レベルの調整を行う音声処理方法であって、前記受信した信号の受信状態を判定する受信状態判定ステップと、前記受信状態判定ステップで判定した受信状態がエラー状態である場合に、前記音声レベルの調整の応答速度を遅くするステップと、を含む。
【００１４】
本発明の第４の視点によるプログラムは、受信した信号の受信状態を判定する処理と、前記信号を復号した音声信号に対して、第１の調整モードと第２の調整モードのいずれかの調整モードで音声レベルの調整を行う処理と、前記受信状態に基づいて、前記調整モードを切り替える処理と、をコンピュータに実行させる。
【発明の効果】
【００１５】
本発明の通信装置によれば、音声レベル調整機能を有する通信装置において、通信エラーが生じているデータ部分の音声品質を良化する通信装置を提供することができる。その理由は、本発明の通信装置では、受信した信号の受信状態に基づいて調整モードを切り替えるようにしたから、各受信状態に応じて最適な音声レベル調整が可能になるためである。そのため、通信エラーが生じているデータ部分に対しても、最適な音声レベル調整にすることが可能になる。
【図面の簡単な説明】
【００１６】
【図１】本発明の一実施形態に係る通信装置の受信部と受信音声処理部を示すブロック図である。
【図２】本発明の実施形態１に係る通信装置の受信部と受信音声処理部を示すブロック図である。
【図３】図２の音声レベル調整部を示すブロック図である。
【図４】図２のエラー隠蔽処理部の動作を説明するための図である。
【図５】本発明の実施形態１に係る通信装置の動作を示すフローチャートである。
【図６】本発明の実施形態１に係る通信装置を示すブロック図である。
【図７】本発明の実施形態１の変形例に係る通信装置の音声レベル調整部を示すブロック図である。
【図８】本発明の実施形態２に係る通信装置の動作を示すフローチャートである。
【図９】本発明の実施形態２に係る通信装置を示すブロック図である。
【図１０】特許文献１に記載された通信端末機の制御動作を説明するための図である。
【発明を実施するための形態】
【００１７】
まず、本発明の実施形態の概要について、必要に応じて図面を参照して説明する。なお、実施形態の概要の説明において引用する図面及び図面の符号は実施形態の一例として示すものであり、それにより本発明による実施形態のバリエーションを制限するものではない。
【００１８】
本発明の一実施形態における通信装置は、図１に示すように、信号Ｓ１を受信する受信部１０と、受信部１０が受信した信号Ｓ１から音声信号Ｓ２を復号する音声復号部１２と、復号した音声信号Ｓ２の音声レベルを第１の調整モードと第２の調整モードのいずれかの調整モードにより調整する音声レベル調整部１４と、受信した信号Ｓ１の受信状態を判定する伝送状態判定部１５と、を備え、音声レベル調整部１４は、伝送状態判定部１５が判定した信号Ｓ１の受信状態に基づいて、調整モードを切り替える。このような構成により、伝送状態判定部１５が判定する各受信状態に対して、それぞれ最適な音声レベル調整を行うようにすることができる。
【００１９】
伝送状態判定部１５が信号Ｓ１の受信状態をエラー状態であると判定した場合に、調整モードを第２の調整モードとし、それ以外の場合に、調整モードを第１の調整モードとするようにしてもよい。それにより、信号Ｓ１がエラー状態である場合に、調整モードを第２の調整モードとすることにより、エラー状態の信号Ｓ１の音声品質を良化することができる。
【００２０】
伝送状態判定部１５が信号Ｓ１の受信状態を連続して所定回数以上、エラー状態であると判定した場合に、調整モードを第２の調整モードとし、それ以外の場合に、調整モードを第１の調整モードとするようにしてもよい。
【００２１】
第２の調整モードは、音声レベル調整部１４による音声レベルの調整を停止するようにしてもよい。それにより、伝送状態判定部１５が信号Ｓ１の受信状態をエラー状態であると判定した場合に、音声レベル調整部１４の増幅による弊害をなくすことができる。
【００２２】
第２の調整モードの応答速度を、第１の調整モードの応答速度よりも遅くするようにしてもよい。それにより、伝送状態判定部１５が信号Ｓ１の受信状態をエラー状態であると判定した場合に、音声レベル調整部１４の増幅による弊害を低減することができる。
【００２３】
図２に示すように、信号Ｓ１の受信状態がエラー状態である場合に、信号Ｓ１を補正するエラー隠蔽処理部２０を更に備えるようにしてもよい。
【００２４】
また、図２に示すように、エラー隠蔽処理部２０による補正に応じて信号Ｓ１の音声レベルを抑制するミュート部２２と、音声レベル調整部１４ａの調整モードを切り替える制御を行う音声レベル調整制御部１８と、を更に備え、音声レベル調整制御部１８は、伝送状態判定部１６が判定した信号Ｓ１の受信状態、及びミュート部２２による抑制動作に応じて、調整モードを切り替える制御を行うようにしてもよい。それにより、ミュート部２２による抑制動作と音声レベル調整制御部１８による増幅動作が同時に行われないようにすることができる。
【００２５】
本発明の一実施形態における音声処理方法は、音声情報を含む信号Ｓ１を受信し、信号Ｓ１を復号して音声信号Ｓ２に変換した後、音声信号Ｓ２の音声レベルの調整を行う音声処理方法であって、受信した信号Ｓ１の受信状態を判定する受信状態判定ステップ（図５のステップＳ１２）と、受信状態判定ステップで判定した受信状態がエラー状態である場合に、音声レベルの調整を停止するステップ（図５のステップＳ１５）と、を含む。
【００２６】
本発明の一実施形態における音声処理方法は、音声情報を含む信号Ｓ１を受信し、信号を復号して音声信号Ｓ２に変換した後、音声信号Ｓ２の音声レベルの調整を行う音声処理方法であって、受信した信号Ｓ１の受信状態を判定する受信状態判定ステップ（図５のステップＳ１２）と、受信状態判定ステップで判定した受信状態がエラー状態である場合に、音声レベルの調整の応答速度を遅くするステップと、を含む。
【００２７】
本発明の一実施形態におけるプログラムは、受信した信号Ｓ１の受信状態を判定する処理と、信号Ｓ１を復号した音声信号Ｓ２に対して、第１の調整モードと第２の調整モードのいずれかの調整モードで音声レベルの調整を行う処理と、受信状態に基づいて、調整モードを切り替える処理と、をコンピュータに実行させる。ここで、上記プログラムは、記憶部（図６の５８、図９の８６）に格納され、制御部（図６の５２、図９の８０）が備えるコンピュータによって実行される。
【００２８】
以下、本発明の各実施形態について、図面を参照して詳しく説明する。
【実施形態１】
【００２９】
［実施形態１の構成］
図６は、実施形態１に係る通信装置１０１を示すブロック図である。通信装置１０１は無線通信による通話機能を有する携帯電話端末機である。図６に示すように、携帯電話端末機（通信装置）１０１は、電波を送受信するアンテナ１と、信号を変調しアンテナ１を介して基地局（不図示）へ無線電波を送信する送信部４０と、基地局からの無線電波を受信し信号に復調する受信部４２と、送信する音声信号を処理する送信音声処理部４４と、受信した信号を復号し所定の音声処理を行う受信音声処理部４６と、使用者の音声を集音し送信音声処理部４４へ供給するマイク４８と、受信音声処理部４６で処理された音声信号を音声として出力するスピーカ５０と、使用者が種々の操作を行う操作部５６と、種々の情報を使用者に対して表示する表示部５４と、携帯電話端末機１０１の全体の制御を行う制御部５２と、各種プログラムと各種データを記憶する記憶部５８とを備えている。
【００３０】
次に、図２は、図６の受信部４２と受信音声処理部４６を示し、特に受信音声処理部４６について、より詳細な構成を示したブロック図である。図２に示すように、受信音声処理部４６は、音声復号部１２と、エラー隠蔽処理部２０と、フレームバッファ２４と、ミュート部２２と、音声レベル調整部１４ａと、伝送状態判定部１６と、音声レベル調整制御部１８により構成される。
【００３１】
まず、受信部４２で受信した信号Ｓ１は、３ＧＰＰで規定されたＡＭＲやＩＴＵ−Ｔで規定されたＧ．７２９の符号化アルゴリズムで符号化されているので、音声復号部１２は符号化された信号を復号し、音声信号Ｓ２を出力する。
【００３２】
次に、エラー隠蔽処理部２０は、音声信号Ｓ２に伝送時の電波環境の劣化等に起因したエラーが含まれている場合に、エラーが発生している部分のフレームを補正する処理を行う。図４はエラー隠蔽処理部２０が行うエラー隠蔽処理を説明するための図である。エラー隠蔽処理には、幾つかの方法が考えられ、そのうちの代表的な方法を、図４（ａ）〜（ｃ）に示す。
【００３３】
図４（ａ）において、受信した複数の音声フレームのうち、フレーム２、及びフレーム３がエラー状態である場合を示している。図４（ａ）に示す方法では、エラー状態のフレームを無音に置き換える処理を行う。これにより、エラー状態を含む音声信号Ｓ２を再生した際に発生する異音を削除することができる。しかしながら、エラー隠蔽処理後の音声信号は、ｔ１、ｔ２のタイミングで不連続となるため、再生した音声に不自然さが生ずる。
【００３４】
また、図４（ｂ）において、受信した複数の音声フレームのうち、フレーム４、及びフレーム５がエラー状態である場合を示している。図４（ｂ）に示す方法では、エラー状態のフレームを直前のエラーでないフレーム３により置き換える処理を行う。このような処理を行うには、エラーでないフレームの信号を一時保存しておくことが必要であるため、フレームバッファ２４を使用している。これにより、エラー状態を含む音声信号Ｓ２を再生した際に発生する異音を削除することができる。しかしながら、エラー隠蔽処理後の音声信号は、ｔ３のタイミングで不連続となるため、再生した音声に不自然さが生ずる。
【００３５】
また、図４（ｃ）において、受信した複数の音声フレームのうち、フレーム３、及びフレーム４がエラー状態である場合を示している。図４（ｃ）に示す方法では、エラー状態のフレームを、前後のエラーでないフレーム（フレーム２、５）で置き換える処理を行う。この場合も、前後のエラーでないフレームを一時保存するため、フレームバッファ２４を使用する。これにより、エラー状態を含む音声信号Ｓ２を再生した際に発生する異音を削除することができる。しかしながら、エラー隠蔽処理後の音声信号は、ｔ４のタイミングで不連続となるため、再生した音声に不自然さが生ずる。
【００３６】
ここで、エラー隠蔽処理部２０におけるエラー状態の判定は、後述する伝送状態判定部１６で判定した結果を使用してもよいし、エラー隠蔽処理部２０で公知のＦＥＣ（Ｆｏｒｗａｒｄ  Ｅｒｒｏｒ  Ｃｏｒｒｅｃｔｉｏｎ；前方誤り訂正）技術を利用して、エラー状態を判定するようにしてもよい。
【００３７】
次に、ミュート部２２は、音声レベルを抑制する機能を有し、音声信号の不連続性（図４のｔ１〜ｔ４タイミング）に起因した音声の不自然さを軽減する。具体的には、エラー隠蔽処理部２０でエラー隠蔽処理をしている期間において、ミュート部２２が音声レベルの抑制を行うように制御する。このように、エラー隠蔽処理部２０とミュート部２２を連動させることにより、不自然さのない音声が得られる。
【００３８】
次に、伝送状態判定部１６は、受信部４２で受信した信号Ｓ１の受信状態を判定している。具体的には、公知のＦＥＣ技術を利用してエラー検出を行い、正常状態（エラー状態でない）とエラー状態のいずれかを判定出力する。さらに、伝送状態判定部１６は連続するエラー状態をカウントするカウンタを有し、連続するエラー状態がＮ回（但し、Ｎは予め設定する所定の回数で、自然数）になった場合に、受信状態の判定結果Ｃ１をＨｉｇｈレベルにし、それ以外の場合はＬｏｗレベルにして、受信状態の判定結果Ｃ１を音声レベル調整制御部１８に出力する。
【００３９】
次に、音声レベル調整部１４ａについて説明する。図３は、音声レベル調整部１４ａの詳細を示すブロック図である。まず、図３に示すように、音声レベル調整部１４ａは、増幅器２６と、第１のゲイン制御部２８と、スイッチ３０により構成される。
【００４０】
図３において、増幅器２６と第１のゲイン制御部２８は、オートゲインコントロールアンプとして動作し、ミュート処理された音声信号Ｓ３を所定の音声レベルになるように自動調整している。具体的には、第１のゲイン制御部２８はミュート処理された音声信号Ｓ３の音声レベルを取得し、所定の音声レベルになるように、増幅器２６のゲインを自動調整し、音声レベルが自動調整された音声信号Ｓ３’を出力する。
【００４１】
また、スイッチ３０の２つの入力端子には、ミュート処理された音声信号Ｓ３と、音声レベルが自動調整された音声信号Ｓ３’が接続され、音声レベル調整制御部１８より供給される調整モード切替信号Ｃ２により切替制御される。具体的には、調整モード切替信号Ｃ２がＬｏｗレベルの場合には、スイッチ３０は音声レベルが自動調整された音声信号Ｓ３’を選択出力し、調整モード切替信号Ｃ２がＨｉｇｈレベルの場合には、スイッチ３０はミュート処理された音声信号Ｓ３をそのまま選択出力する。
【００４２】
このように、音声レベル調整部１４ａは、２つの調整モードを有し、調整モード切替信号Ｃ２により切り替え可能に構成されている。ここで、スイッチ３０が音声レベルが自動調整された音声信号Ｓ３’を選択出力する調整モードを第１の調整モード、スイッチ３０がミュート処理された音声信号Ｓ３をそのまま選択出力する調整モードを第２の調整モードという。第１の調整モードは、非特許文献１に記載された「らくらくホン」の「音声受話量アップ」機能に相当し、音声信号がある場合に平均的な音声レベルが所定の音声レベルになるように自動調整がなされる。例えば、所定の音声レベルを−３ｄＢｍと設定すると、相手が小声で話した聞き取りにくい音声が自動的に平均して−３ｄＢｍに増幅され、聞き易い音声となる。一方、第２の調整モードは、第１の調整モードにおける自動調整をオフにする調整モードである。
【００４３】
次に、音声レベル調整制御部１８について説明する。音声レベル調整制御部１８は、伝送状態判定部１６が出力する受信状態の判定結果Ｃ１を入力し、その受信状態の判定結果Ｃ１に基づいて、音声レベル調整部１４に調整モード切替信号Ｃ２を出力する。具体的には、受信状態の判定結果Ｃ１がＬｏｗレベルの場合は、調整モード切替信号Ｃ２をＬｏｗレベルにして音声レベル調整制御部１８を第１の調整モードにする。一方、受信状態の判定結果Ｃ１がＨｉｇｈレベルの場合は、調整モード切替信号Ｃ２をＨｉｇｈレベルにして音声レベル調整制御部１８を第２の調整モードにする。
【００４４】
以上、図２に示す受信音声処理部４６の構成により、受信部４２で受信した信号Ｓ１の受信状態がＮ回以上連続したエラー状態である場合には、第２の調整モードとなり、音声レベルの自動調整はオフされ、それ以外の場合には、第１の調整モードにより音声レベルの自動調整がなされる。
【００４５】
［実施形態１の動作］
次に図２、図５を参照しながら、実施形態１の動作について詳細に説明する。図５は、実施形態１に係る通信装置（携帯端末装置）１０１の動作を示すフローチャートである。図５において、初期状態では、音声レベル調整部１４ａの調整モードは第１の調整モードで動作しているとする。まず、受信部４２が信号Ｓ１を受信する（ステップＳ１１）。次に、伝送状態判定部１６のＦＥＣにより、信号Ｓ１の受信状態を判定する（ステップＳ１２）。
【００４６】
次に、伝送状態判定部１６において、受信状態がエラー状態であると判定された場合、Ｎ回以上連続したエラー状態であるか否かを判定する（ステップＳ１３）。ステップＳ１３でＮＯと判定された場合は、音声レベル調整制御部１８は、音声レベル調整部１４ａの調整モードを第１の調整モードに設定する（ステップＳ１４）。一方、ステップＳ１３でＹＥＳと判定された場合には、音声レベル調整制御部１８は、音声レベル調整部１４ａの調整モードを第２の調整モードに設定する（ステップＳ１５）。その後、ステップＳ１１に戻り処理を繰り返す。
【００４７】
以上が、図５のフローチャートで示した実施形態１の動作である。以下に、実施形態１におけるミュート部２２の動作と、音声レベル調整制御部１８が制御する音声レベル調整部１４ａの動作の関連について、さらに詳細に説明する。ミュート部２２の抑制動作と、音声レベル調整部１４ａの調整モードを第２の調整モードに切り替える動作は、連動させることが好ましい。前述したように、エラー隠蔽処理部２０で補正を行う場合、ミュート部２２により音声レベルを抑制動作させるが、その期間において音声レベル調整部１４ａによる自動調整で増幅動作が行われないようにするためである。
【００４８】
ここで、ミュート部２２の抑制動作と、音声レベル調整部１４ａの調整モードを第２の調整モードに切り替える動作とを、連動させる方法として以下のような方法を用いることができる。第１の方法として、伝送状態判定部１６が判定した受信状態に基づいて、音声レベル調整制御部１８が、ミュート部２２の抑制動作を予測し、ミュート部２２の抑制動作に連動させて、音声レベル調整部１４ａの調整モードを第２の調整モードに切り替える制御を行う方法である。実施形態１ではこの第１の方法を用いている。具体的には、伝送状態判定部１６がエラー状態をＮ回以上連続して検出した場合に、ミュート部２２の抑制動作が抑制状態になっていると予測する。このような理由から、図５のステップＳ１３では、エラー状態がＮ回以上連続しているか否かを判定している。
【００４９】
第２の方法として、図２に示すように、ミュート部２２がミュート状態Ｃ３を音声レベル調整部１８に供給し（図２に破線で表示）、音声レベル調整部１８は、伝送状態判定部１６が判定した受信状態だけでなく、ミュート状態Ｃ３の情報も使用して、音声レベル調整部１４ａの調整モードを第２の調整モードに切り替える制御を行う方法である。実施形態１では第１の方法を用いているが、第２の方法を用いるようにしてもよい。
【００５０】
また、ステップＳ１３において、エラーがＮ回以上連続しているか否かを判定している理由として、以下に示す別の理由が存在する。もし、Ｎ＝１とした場合は、１回でもエラー状態であると判定されると、調整モードが第１の調整モードから第２の調整モードに切り替わり、その後、すぐに正常状態に戻った場合には、第２の調整モードから第１の調整モードに切り替わることとなり、調整モードがハンチングし、聞きにくい音声になってしまう。そこで、エラー状態がＮ回以上連続した場合にのみ、第２の調整モードに切り替わるようにし、ハンチングを回避したほうが好ましい。
【００５１】
尚、実施形態１では、図２に示すように、音声レベル調整制御部１８を設けているが、上記ミュート状態Ｃ３の情報を使用しない場合には、図１に示すように音声レベル調整制御部１８を設けずに、伝送状態判定部１５が直接、調整モード切替信号Ｃ２を出力し、音声レベル調整部１４の調整モードを切り替えるように構成してもよい。
【００５２】
尚、図５のフローチャートで示したステップＳ１２、Ｓ１３、Ｓ１４、Ｓ１５の各処理は、記憶部５８にプログラムとして格納され、制御部５２が備えたコンピュータによって呼び出されて実行される。また、そのプログラムは、ネットワークを介してダウンロードするか、或いは、プログラムを記憶した記憶媒体を用いて、更新することができる。
【００５３】
以下に、実施形態１の効果について述べる。実施形態１に係る携帯端末機１０１によれば、受信した信号Ｓ１の受信状態が正常状態の場合には、非特許文献１に記載された「らくらくホン」の「音声受話量アップ」機能のように、音声レベルの自動調整が可能である。一方、受信した信号Ｓ１の受信状態がエラー状態である場合には、音声レベルの自動調整をオフすることにより、音声レベル調整機能を有する通信装置において、受信状態がエラー状態である部分の音声品質を良化することができる。即ち、受信状態がエラー状態である部分の音声信号に対してエラー隠蔽処理、及びミュート処理を行う期間と連動させて、音声レベルの自動調整をオフすることにより、音声レベルが増幅される弊害を避けることができる。これにより、再生音声に、レベル変動の違和感や、エラー復帰直後の音割れ等の異音の発生を防止することができる。
【００５４】
また、図５に示した実施形態１における音声処理方法によれば、音声レベル調整の調整モードを適宜切り替えることにより受信状態がエラー状態である部分の音声品質を良化することが可能な音声処理方法を提供することができる。
【００５５】
尚、近年、周囲雑音をマイクから入力することにより、使用環境のノイズレベルに応じて、受話音声レベルを自動調整するように構成された携帯電話端末機も発売されている。このような携帯電話端末機においても、実施形態１の音声レベル調整部１４ａ、音声レベル調整制御部１８と同様の制御を行い、実施形態１で示したのと同様の効果を得ることができる。
【００５６】
［実施形態１の変形例］
次に、実施形態１の変形例に係る通信装置（携帯端末機）について説明する。実施形態１の変形例の実施形態１に対する構成の違いは、実施形態１の音声レベル調整部１４ａを、図７に示す音声レベル調整部１４ｂに置き換えた点である。
【００５７】
図７は、実施形態１の変形例の音声レベル調整部１４ｂを示すブロック図である。図７において、音声レベル調整部１４ｂは、増幅器２６と、第１のゲイン制御部２８と、第２のゲイン制御部３２と、スイッチ３４で構成される。図７において、図３と実質的に同じ機能を有する構成要素には同じ参照符号を付している。図７の第１のゲイン制御部２８は、実施形態１の音声レベル調整部１４ａの第１のゲイン制御部２８と同じである。実施形態１の変形例では、第１のゲイン制御部２８よりも、応答速度を遅らせた第２のゲイン制御部３２を設ける。そして、スイッチ３４の２つの入力端子に、第１のゲイン制御部２８の出力、第２のゲイン制御部３２の出力をそれぞれ接続する。スイッチ３４は、調整モード切替信号Ｃ２により上記の２つの入力を選択可能に構成する。具体的には、調整モード切替信号Ｃ２がＬｏｗレベルのとき、スイッチ３４において第１のゲイン制御部２８が選択され、音声レベル調整部１４ｂは第１の調整モードとなる。一方、調整モード切替信号Ｃ２がＨｉｇｈレベルのとき、スイッチ３４において第２のゲイン制御部３２が選択され、音声レベル調整部１４ｂは第２の調整モードとなる。
【００５８】
第２のゲイン制御部３２は、オートゲインアンプにおいて応答速度を遅らせる公知の方法を適用したものである。それにより、第２の調整モードにおいて、自動調整の応答速度を遅らせることができる。
【００５９】
実施形態１の変形例によれば、受信した信号Ｓ１の受信状態がエラー状態である場合には、音声レベルの自動調整の応答速度を遅らせることにより、受信状態がエラー状態である部分の音声品質を良化することができる。即ち、受信状態がエラー状態である部分の音声信号に対してエラー隠蔽処理、及びミュート処理を行う期間と連動させて、音声レベルの自動調整の応答速度を遅らせることにより、音声レベルが増幅される弊害を低減させることができる。これにより、再生音声に、レベル変動の違和感や、エラー復帰直後の音割れ等の異音の発生を防止することができる。
【実施形態２】
【００６０】
図９は、実施形態２に係る通信装置１０２を示すブロック図である。通信装置１０２はインターネット１を介した通話機能を有するＩＰ電話端末機である。図９に示すように、ＩＰ電話端末機（通信装置）１０２は、送信部６４と受信部６６を含む回線接続部６２と、送受信するパケットを処理するパケット処理部６８と、受信パケットのジッタに対応するためのジッタバッファ７０と、送信する音声信号を処理する送信音声処理部７２と、受信した信号を復号し所定の音声処理を行う受信音声処理部７４等を備えている。尚、図９において、マイク７６、スピーカ７８、制御部８０、表示部８２、操作部８４、記憶部８６は、図６におけるマイク４８、スピーカ５０、制御部５２、表示部５４、操作部５６、記憶部５８と同様の機能を有しているため、説明を省略する。
【００６１】
ＩＰ電話ではＲＴＰ（Ｒｅａｌ-ｔｉｍｅ  Ｔｒａｎｓｐｏｒｔ  Ｐｒｏｔｏｃｏｌ）により、インターネット２を介したパケットの送受信が行われる。ＩＰ電話では、インターネット経由でＲＴＰパケットが伝送される過程でパケットロスが生じるという問題がある。ここで、ＩＰ電話で使用されるＲＴＰは音声のリアルタイム性を重視したプロトコルであり、ＴＣＰのようにパケットロスに対応した再送の仕組みを持っていない。そのため、パケットロスを検出して音声信号を補正することにより、音声品質を良化させることが特に重要である。
【００６２】
図９において、インターネット２を介して回線接続部６２の受信部６６が音声情報を含むパケットを受信する。受信したパケットは、一時的にジッタバッファ７０に保存され、パケット処理部６８でパケット順序の入れ替わりに対応する処理等を行う。そして、パケット処理部６８で処理されたパケットの内、音声データに関連した信号Ｓ１が取り出され、受信音声処理部７４に入力される。
【００６３】
受信音声処理部７４の構成は、実施形態１で説明した携帯電話端末機１０１における受信音声処理部４６の構成と同様であるため、受信音声処理部７４の構成を、図２を参照しながら、説明する。音声復号部１２により、受信した信号Ｓ１を復号して音声信号Ｓ２を出力する。次に、エラー隠蔽処理部２０は、音声信号Ｓ２にパケットロスに対応したエラーが含まれている場合に、エラーが発生している部分のフレームを補正する処理を行う。エラー隠蔽処理部２０の処理アルゴリズムは、実施形態１と同様である。ここで、エラー隠蔽処理部２０におけるエラー状態の判定は、後述する伝送状態判定部１６で判定した結果を使用してもよいし、エラー隠蔽処理部２０で行ってもよい。エラー隠蔽処理部２０の内部でエラー状態の判定を行う場合、受信したＲＴＰパケットのタイムスタンプによる方法や、ジッタバッファ７０でのアンダーフローを監視する方法を使用することができる。後者の方法では、ジッタバッファ７０が枯渇することによるアンダーフローをパケット処理部６８で行い、パケット処理部６８がその結果をエラー隠蔽処理部２０に供給する。
【００６４】
次に、伝送状態判定部１６では、エラー隠蔽処理部２０と同様にパケットロスを検出する。伝送状態判定部１６においても、前述したＲＴＰパケットのタイムスタンプによる方法や、ジッタバッファ７０でのアンダーフローを監視する方法を使用する。
【００６５】
また、ミュート部２２、音声レベル調整部１４ａ、及び音声レベル調整制御部１８は、実施形態１と同じであるため、説明は省略する。以上のように、実施形態２の受信音声処理部７４の構成は、実施形態１の受信音声処理部４６において、エラー隠蔽処理部２０、及び伝送状態判定部１６において、受信状態を判定する際に、ＲＴＰパケットロスを検出するように変更した点が異なるだけである。
【００６６】
次に、図８を参照しながら、実施形態２の通信装置（ＩＰ電話端末機）１０２の動作について説明する。図８は、実施形態２のＩＰ電話端末機１０２の動作を示すフローチャートである。
【００６７】
図８において、初期状態では、音声レベル調整部１４ａの調整モードは第１の調整モードで動作しているとする。まず、受信部６６が信号Ｓ１を受信する（ステップＳ２１）。次に、伝送状態判定部１６により、信号Ｓ１の受信状態を判定する。すなわち、パケットロスの有無を判定する（ステップＳ２２）。信号Ｓ１の受信状態には、前述したＲＴＰパケットのタイムスタンプによる方法、又はジッタバッファ７０のアンダーフローを監視する方法が用いられる。
【００６８】
次に、伝送状態判定部１６において、受信状態がエラー状態であると判定された場合、Ｎ回以上連続したエラー状態であるか否かを判定する（ステップＳ２３）。ステップＳ２３でＮＯと判定された場合は、音声レベル調整制御部１８は、音声レベル調整部１４ａの調整モードを第１の調整モードに設定する（ステップＳ２４）。一方、ステップＳ２３でＹＥＳと判定された場合には、音声レベル調整制御部１８は、音声レベル調整部１４ａの調整モードを第２の調整モードに設定する（ステップＳ２５）。その後、ステップＳ２１に戻り処理を繰り返す。
【００６９】
尚、図８のフローチャートで示したステップＳ２２、Ｓ２３、Ｓ２４、Ｓ２５の各処理は、記憶部８６にプログラムとして格納され、制御部８０が備えたコンピュータによって呼び出されて実行される。また、そのプログラムは、ネットワークを介してダウンロードするか、或いは、プログラムを記憶した記憶媒体を用いて、更新することができる。
【００７０】
以下に、実施形態２の効果について述べる。実施形態２に係るＩＰ電話端末機１０１によれば、受信した信号Ｓ１の受信状態を、ＲＴＰパケットロスを検出することにより判定し、実施形態１と同様の処理を行うようにしたから、実施形態１と同様の効果が得られる。また、実施形態２の音声レベル調整部１４ａを、音声レベル調整部１４ｂに置き換えることも可能であり、その場合、実施形態１の変形例と同様の効果が得られる。
【産業上の利用可能性】
【００７１】
本発明の通信装置は、非特許文献１に示された「らくらくホン」のように音声レベルを自動調整する機能を有する携帯電話端末機や、音声レベルを自動調整する機能を有するＩＰ電話端末機に適用可能である。
【００７２】
なお、本発明の全開示（請求の範囲を含む）の枠内において、さらにその基本的技術思想に基づいて、実施形態ないし実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００７３】
１：アンテナ
２：インターネット
１０、４２、６６：受信部
１２：音声復号部
１４、１４ａ、１４ｂ：音声レベル調整部
１５、１６：伝送状態判定部
１８：音声レベル調整制御部
２０：エラー隠蔽処理部
２２：ミュート部
２４：フレームバッファ
２６：増幅器
２８：第１のゲイン制御部
３０、３４：スイッチ
３２：第２のゲイン制御部
４０、６４：送信部
４４、７２：送信音声処理部
４６、７４、１００：受信音声処理部
４８、７６：マイク
５０、７８：スピーカ
５２、８０：制御部
５４、８２：表示部
５６、８４：操作部
５８、８６：記憶部
６２：回線接続部
６８：パケット処理部
７０：ジッタバッファ
１０１：携帯電話端末機（通信装置）
１０２：ＩＰ電話端末機（通信装置）
Ｃ１：受信状態の判定結果
Ｃ２：調整モード切替信号
Ｃ３：ミュート状態信号
Ｓ１：信号
Ｓ２：音声信号
Ｓ３：ミュート処理された音声信号
Ｓ３’：音声レベルが自動調整された音声信号
Ｓ４：音声レベル調整後の音声信号
【図１】
2013074358.tif 000003
【図２】
2013074358.tif 000004
【図３】
2013074358.tif 000005
【図４】
2013074358.tif 000006
【図５】
2013074358.tif 000007
【図６】
2013074358.tif 000008
【図７】
2013074358.tif 000009
【図８】
2013074358.tif 000010
【図９】
2013074358.tif 000011
【図１０】
2013074358.tif 000012